(57)【要約】【課題】  紙パックやポリ容器に差し込んでそのまま放置しても、たとえ走行中の振動や衝撃により、また再度飲むときに強く握りしめたときの圧力により、さらに仕事や勉強中の人、高齢者や入院患者、手足の不自由な人などが倒しても、ストローから飲料水が洩れることがないストローを提供する。【解決手段】  ストロー本体と、このストロー本体の吸い口側に出たり（伸びたり）入ったり（縮んだり）するように挿嵌され、しかもかかる出入のための力が加えられなければ動かないと共に前記吸い口側から抜け落ちることもないストローくわえ部とからなり、  かつ前記ストローくわえ部の周側面に通水孔を設け、前記ストローくわえ部が出入位置の一方側（閉じた位置）にあるときには前記通水孔を飲料水が通過せず他方側（開いた位置）にあるときには前記通水孔を飲料水が通過するようにしたことを特徴とする飲料水用ストロー。【選択図】  図１
2006116197.tif 000002
【特許請求の範囲】
【請求項１】
ストロー本体と、このストロー本体の吸い口側に出たり（伸びたり）入ったり（縮んだり）するように挿嵌され、しかもかかる出入のための力が加えられなければ動かないと共に前記吸い口側から抜け落ちることもないストローくわえ部とからなり、
かつ前記ストローくわえ部の周側面に通水孔を設け、前記ストローくわえ部が出入位置の一方側（閉じた位置）にあるときには前記通水孔を飲料水が通過せず他方側（開いた位置）にあるときには前記通水孔を飲料水が通過するようにしたことを特徴とする飲料水用ストロー。
【請求項２】
ストローくわえ部を一端側が閉じる筒状キャップ体に構成してその開口した他端側からストロー本体の吸い口に被せ、このストローくわえ部の前記開口他端側の内周面にストロー本体の外周面を摺接する環状内向き突起を設けると共に前記ストロー本体の吸い口端の外周面にストローくわえ部の内周面を摺接する環状外向き突起を設け、かつ前記ストローくわえ部が出て（伸びて）開くときには前記環状内向き突起が環状外向き突起に係合して止まるようにしたことを特徴とする請求項１記載の飲料水用ストロー。
【請求項３】
ストロー本体の吸い口に挿入される筒状部と、この筒状部の一端側に連設されると共にその端面が開口しかつストロー本体の吸い口端のしぼり部に係止して突出する外出筒部と、前記筒状部の他端側にあってその端面の閉じる外周面に設けられてストロー本体の中間大径部内に突出する環状鍔部とでストローくわえ部を構成し、かつ前記ストローくわえ部が出て（伸びて）閉じるときには前記環状鍔部が中間大径部の形成する環状段面に係合して止まるようにしたことを特徴とする請求項１記載の飲料水用ストロー。
【発明の詳細な説明】
【技術分野】
【０００１】
本発明は、紙パックやポリ容器等の飲料水容器のストロー差し込み部分に突き刺して使用する飲料水用ストローに関するものである。
【背景技術】
【０００２】
飲料水用ストローは、元々、コップなどに入った飲料水を吸引することから比較的長い一本ものになっている。
現在では、この比較的長い一本ものの他に、ストローの長さ方向の一部を蛇腹部としてこの蛇腹部で曲がるようにして吸引し易くしたものや、特許文献１にあるようにストロー全体を伸縮自在な二重管で構成して携帯時の利便性、紙パックやポリ容器等に添付するときの長さの制約性のために不使用時に短くなるようにしたものがある。
しかしながら、これらの従来のストローはいずれも紙パックやポリ容器等のストロー差し込み部分に突き刺して使用するときに使用者が意図せずに内部の飲料水をこぼしてしまう構造を有していた。
【特許文献１】実公平２−２６３９７号公報
【発明の開示】
【発明が解決しようとする課題】
【０００３】
本発明の解決しようとする課題は、前記した従来のものではいずれもストローが常時開口しているので、紙パックやポリ容器等のストロー差し込み部分に突き刺して使用するときに飲みかけで止めて放置すると、車中では走行中の振動や衝撃により飲料水がストローのくわえ口から飛び出して車中に飛び散るし、また再度飲むときに強く握りしめたときの圧力により飲料水がストローのくわえ口から飛び出して使用者にかかるし、さらに仕事や勉強中の人、高齢者や入院患者、手足の不自由な人などが倒したりすると飲料水がストローのくわえ口からこぼれて汚すという点である。
【課題を解決するための手段】
【０００４】
本発明は、ストロー本体と、このストロー本体の吸い口側に出たり（伸びたり）入ったり（縮んだり）するように挿嵌され、しかもかかる出入のための力が加えられなければ動かないと共に前記吸い口側から抜け落ちることもないストローくわえ部とからなり、かつ前記ストローくわえ部の周側面に通水孔を設け、前記ストローくわえ部が出入位置の一方側（閉じた位置）にあるときには前記通水孔を飲料水が通過せず他方側（開いた位置）にあるときには前記通水孔を飲料水が通過するようにしたことを特徴とする。
【発明の効果】
【０００５】
本発明は、紙パックやポリ容器等のストロー差し込み部分に突き刺した使用状態で飲みかけで止めて放置するときに、ストローくわえ部を閉じた位置に位置させておくと、ストローくわえ部から飲料水が出ないので、たとえ飲みかけで止めて放置しても、車中では走行中の振動や衝撃により飲料水がストローのくわえ口から飛び出して車中に飛び散らないし、また再度飲むときに強く握りしめたときの圧力により飲料水がストローのくわえ口から飛び出して使用者にかからないし、さらに仕事や勉強中の人、高齢者や入院患者、手足の不自由な人などが倒しても飲料水がストローのくわえ口からこぼれて汚さないという効果がある。さらに、その際片手で紙パックやポリ容器等を持ってストローくわえ部を口にくわえてストローくわえ部を閉じた位置に位置させることができるので、ストローの開閉操作を片手で持ってくわえて容易にできるために、特に運転中など片手しか使えない使用状態では効果大である。
【発明を実施するための最良の形態】
【０００６】
ストロー本体と、このストロー本体の吸い口側に出たり（伸びたり）入ったり（縮んだり）するように挿嵌され、しかもかかる出入のための力が加えられなければ動かないと共に前記吸い口側から抜け落ちることもないストローくわえ部とで構成して、そのストローくわえ部をくわえた状態で口で動かしてストローの開閉を行えるようにすることにより、実現した。
【実施例１】
【０００７】
請求項１，２の発明の一実施例を図１、図２を用いて説明する。図１はストローの閉じた状態を示す部分断面の側面図、図２は図１のストローの閉じた状態からストローくわえ部が移動してストローが開いた状態を示す部分断面の側面図である。
【０００８】
図において、１は様々な長さの一本もの或いは二本連結構造で長さが伸び縮みする伸縮ものからなるストローのストロー本体、２はストロー本体１の吸い口１ａ端の外周面に設けた環状外向き突起、３は一端側が閉じる筒状キャップ体に構成されてその開口した他端側３ａからストロー本体１の吸い口１ａに被せたストローくわえ部、４はストローくわえ部３の開口他端側３ａの内周面に設けた環状内向き突起、５はストローくわえ部３の周側面に複数個設けた通水孔である。
【０００９】
図１に示すストローの閉じた状態では、ストロー本体１の環状外向き突起２がストローくわえ部３の内周面との間でシール作用をするので、ストロー本体１の吸い口１ａから飲料水が吸い口１ａの周囲にあふれ出ても、この環状外向き突起２の部分でシールされて通水孔５から飲料水が外部に洩れることがない。
【００１０】
図２に示すストローの開いた状態では、ストローくわえ部３の環状内向き突起４がストロー本体１の環状外向き突起２と係合してその位置に止まるので、ストローくわえ部３を吸ってもストローくわえ部３がストロー本体１の吸い口１ａから容易に抜け落ちず、通水孔５を通してストローくわえ部３から飲料水を吸飲することができる。
【００１１】
今、図１に示すストローの閉じた状態でストロー本体１を紙パックやポリ容器のストロー差し込み部分に突き刺して、紙パックやポリ容器を片手で持ってそのストローくわえ部３を口にくわえて図１の矢印６の方向に吸い出すと、ストローくわえ部３が移動して図２に示すストローの開いた状態となるので、紙パックやポリ容器内の飲料水をストローにより吸飲することができる。
【００１２】
そして、飲みかけで止めて放置するときには、紙パックやポリ容器を片手で持ってくわえたままでストローくわえ部３を図２の矢印７の方向に押し込むと、ストローくわえ部３が移動して図１に示すストローの閉じた状態になるので、紙パックやポリ容器をそのまま放置しても、たとえ走行中の振動や衝撃により、また再度飲むときに強く握りしめたときの圧力により、さらに仕事や勉強中の人、高齢者や入院患者、手足の不自由な人などが倒しても、ストローから飲料水が洩れることがない。
【００１３】
上記実施例ではストローくわえ部３をストロー本体１の吸い口１ａの外側に被せるものを示したが、ストロー本体１の吸い口１ａの内側に挿入して吸い口１ａ端から出し入れする構成としても同様の効果が得られる。この場合の具体的な構成は基本的に大きく変わらないので図示省略する。
【実施例２】
【００１４】
請求項１，３の発明の一実施例を図３、図４を用いて説明する。図３はストローの閉じた状態を示す部分断面の側面図、図４は図３のストローの閉じた状態からストローくわえ部が移動してストローが開いた状態を示す部分断面の側面図で、図中前記した実施例１のものと同一または相当部分には同一符号を付して説明を省略する。
【００１５】
図において、８はストロー本体１の吸い口１ａ端に形成したしぼり部、９はストロー本体１の中間に形成した大径部、１０はストローくわえ部で、ストロー本体１の吸い口１ａに挿入される筒状部１０ａと、この筒状部１０ａの一端側に連設されると共にその端面が開口しかつストロー本体１の吸い口１ａ端のしぼり部８に係止して突出する外出筒部１０ｂと、筒状部１０ａの他端側にあってその端面の閉じる外周面に設けられてストロー本体１の中間大径部９内に突出する環状鍔部１０ｃとからなっている。
なお、図３，４に示すストローにおいては、ストロー本体１の下部は中間大径部９の下方でしぼられて通常のストローの太さにまで細くなっているが、もちろん、しぼりをいれずにストロー本体下部の太さを中間大径部と同じ太さとすることもできる。要するに、本発明のこの実施例のストローの本質的な特徴はくわえ部及びくわえ部と係合する中間大径部の構造にあり、ストロー本体の下部は本発明の特徴を阻害しない限り、いかなる形状であることもできる。
【００１６】
図３に示すストローの閉じた状態では、ストロー本体１の吸い口１ａ端のしぼり部８がストローくわえ部１０の筒状部１０ａの外周面を締め付けることにより、またストローくわえ部１０の環状鍔部１０ｃが中間大径部９の形成する環状段面１１に係合することにより、ストロー本体１がストローくわえ部１０により閉じるので、飲料水がストローから外部に洩れることがない。
【００１７】
図４に示すストローの開いた状態では、ストローくわえ部１０がしぼり部８により締め付けられてストロー本体１の吸い口１ａに止まるので、ストローくわえ部１０を吸ってもストローくわえ部１０がストロー本体１の吸い口１ａから容易に抜け出さず、通水孔５を通してストローくわえ部１０から飲料水を吸飲することができる。
【００１８】
今、図３に示すストローの閉じた状態でストロー本体１を紙パックやポリ容器のストロー差し込み部分に突き刺して、紙パックやポリ容器を片手で持ってそのストローくわえ部１０を口にくわえて図３の矢印６の方向に押し込むと、ストローくわえ部１０が移動して図４に示すストローの開いた状態となるので、紙パックやポリ容器内の飲料水をストローにより吸飲することができる。
【００１９】
そして、飲みかけで止めて放置するときには、紙パックやポリ容器を片手で持ってくわえたままでストローくわえ部１０を図４の矢印７の方向に吸い出すと、ストローくわえ部１０が移動して図３に示すストローの閉じた状態になるので、紙パックやポリ容器をそのまま放置しても、たとえ走行中の振動や衝撃により、また再度飲むときに強く握りしめたときの圧力により、さらに仕事や勉強中の人、高齢者や入院患者、手足の不自由な人などが倒しても、ストローから飲料水が洩れることがない。
【産業上の利用可能性】
【００２０】
本発明は、紙パックやポリ容器等の飲料水容器のストロー差し込み部分に突き刺して使用する飲料水用ストローに広く活用できる。
【図面の簡単な説明】
【００２１】
【図１】本発明の実施例１を示すストローの閉じた状態の部分断面側面図である。
【図２】図１のストローの閉じた状態からストローくわえ部が移動してストローが開いた状態を示す部分断面の側面図概略図である。
【図３】本発明の実施例２を示すストローの閉じた状態の部分断面側面図である。
【図４】図３のストローの閉じた状態からストローくわえ部が移動してストローが開いた状態を示す部分断面の側面図概略図である。
【符号の説明】
【００２２】
１：ストロー本体
１ａ：ストロー本体１の吸い口
２：環状外向き突起
３：ストローくわえ部
３ａ：ストローくわえ部３の開口他端側
４：環状内向き突起
５：通水孔
８：吸い口１ａのしぼり部
９：ストロー本体１の中間大径部
１０：ストローくわえ部
１０ａ：ストローくわえ部１０の筒状部
１０ｂ：ストローくわえ部１０の外出筒部
１０ｃ：ストローくわえ部１０の環状鍔部
１１：ストロー本体１の環状段面
【図１】
2006116197.tif 000003
【図２】
2006116197.tif 000004
【図３】
2006116197.tif 000005
【図４】
2006116197.tif 000006